(57)【要約】      （修正有）【課題】災害時に備えられた非常用品収納箱を災害時に非常用トイレとして転用する際、身体的弱者が容易に利用できる非常用品収納箱の保持台を提供する。【解決手段】非常用収納箱と、保持台１を有し、非常時に非常用トイレとして転用する際、前期非常用収納箱及び係止用取り外し板１−６，嵌め板１−２を取り外し、非常用トイレとして使用可能な構造となる。さらに、車椅子の座面と支持台１−１の高さをほぼ同じとし、握り棒１−４を配し、身体的弱者の利便性を確保した。【選択図】図３
0003176395.tif 000002
【実用新案登録請求の範囲】
【請求項１】
非常用品収納箱の保持台が手すり付き椅子である事を特徴とする保持台。
【請求項２】
請求項１の手すり付き椅子の手すり部は、非常用品収納箱を椅子に係止する為の柵の役目をすることを特徴とする保持台。
【請求項３】
前記、請求項１又は２記載の手すり付き椅子の座面に、１５〜３０ｃｍ×１５〜３０ｃｍの穴を有する事を特徴とする保持台。
【請求項４】
前記、請求項１、２又は３記載の保持台の座面は土台面から４０〜５０ｃｍ高の位置にあり、車椅子の座面の高さとほぼ同じである事を特徴とする保持台。
【請求項５】
前記、請求項１、２、３又は４記載の保持台で、座面の一部が着脱できる事を特徴とする保持台。
【請求項６】
前記、請求項１、２、３、４又は５記載の保持台に非常用品収納箱を係止する際、係止用の棒は角のない滑らかな棒又は筒である事を特徴とする保持台。
【考案の詳細な説明】
【技術分野】
【０００１】本考案は非常用品収納箱を保持する台に関する。
【背景技術】
【０００２】災害等の非常時のために非常用品の備蓄は大事なことである。東日本大震災以降、防災用品の備蓄が叫ばれて関心が高まってきている。しかし、非常用品や道具は多岐にわたり、緊急時の避難場所に倉庫を確保して資材や、道具を備蓄しなければならない。予算や倉庫の確保等、様々な困難があって一挙に備蓄を進めることが出来ない実態がある。いつ発生するか予測することはできないが、地震国のわが国では確実に起きるといわれる大地震をはじめとする自然災害に対して潜在的な恐怖を抱きながら過ごしている。できれば、生活の場に近い所で、避難場所に非常用品の確保を目指す時、トイレの問題が最大の心配事である。その中でも、身体的弱者に配慮したトイレ問題への対応が急がれる課題である。
【先行技術文献】
【０００３】
【実用新案文献１】
登録第３１６２５３６号
【考案の概要】
【考案が解決しようとしている課題】
【０００４】地震などの非常時に備えて水や食料、トイレ、ロープ、テントなどの非常用具を公の場所に備蓄するが、殆どが広域避難場所の備蓄倉庫である。それでも備蓄しているといえど十分と言える量の確保は難しく、非常時には避難場所に辿り着けるかどうかもわからない。そこで、広範囲に非常用品の収納箱を配置して、生活に密着した場に備えるようになってきた。ところが、非常用品中の非常用トイレは、高齢者や身体障害者等が使用するには困難が伴い、安全に使用できる非常用便所の提供が切望されていた。
【課題を解決するための手段】
【０００５】上記の課題を解決すべく本考案者らは鋭意検討した結果、上記の課題は次のような手段によって解決することがわかった。
即ち、非常用品収納箱を配置して災害時に備えるが、非常用品収納箱は健常者を対象にしたものであった。高い位置に収納スペースが配置されている事が多く、中でも非常用トイレは身体的弱者に配慮がなされた物が少ない。従って、非常時に身体的弱者がトイレを安心して使えるように工夫した。
平時は非常用品収納箱を保持台に乗せた状態で設置するが、非常時には非常用品収納箱を取り外し、保持台座面の穴に携帯トイレを設置してトイレ便器として使用する。保持台の座面には糞尿袋を取り付ける為の穴を有し、身体的弱者が動いて座るのに都合が良いように車椅子の座面と保持台の座面がほぼ同じ高さになるようにした。また、車椅子から保持台座面への移動や用を足す為の穴位置を調節する為に、保持台座面の一部を着脱することで座面の面積調節が可能である。特に、身障者用トイレにあるような縦横の握り棒を、手すり付き椅子の手すりとして配置する事で、上記課題を解決できることがわかった。
【考案の効果】
【０００６】本考案は地震などに備えた非常用トイレの使用に際し、大きな安心を提供できるようになった。通常、避難場所等の備蓄庫に非常用品は存在するが、その中のトイレについては改善が進んではいるが、身体的弱者に配慮したものは少なかった。本考案は、身体的弱者、特に車椅子を使用する人が携帯トイレを使用できるようにした事で、非常時に大きな安心を与える事が出来た。又、本考案は簡便、安価で安全性に配慮した非常用トイレを提供するもので、健常者が使用しても快適であるので、非常時への安心を大勢に与えることに寄与できるものである。
【図面の簡単な説明】
【０００７】
【図１】非常用品収納箱と保持台を接続した時の見取り図である。
【図２】非常用品収納箱と保持台を接続した時の図１と逆側からの見取り図である。
【図３】保持台の見取り図である。
【図４】保持台座面の一部を取り外した図。
【図５】取り外した座面の非常用品収納箱の係止部。
【図６】車椅子の見取り図。
【図７】車椅子の座面位置を表示した図。
【考案を実施するための形態】
【０００８】  本考案は、非常時においても身体的弱者が安全に使い易いトイレの提供である。つまり、非常時に車椅子で用便に来ても平時とそれほど変わらない使い勝手を目指して考案し、実現したものである。まず、非常用品収納箱を保持台から外すが、この作業は身体的弱者には無理があるので健常者が行うことになろう。次いで、保持台に車椅子が接岸して握り棒を使って、使用者の尻が保持台座面の穴位置にスムーズに滑り込ませるために、座面の一部を取り外して車椅子の座部先端から約５ｃｍの位置に保持台座面に配置した穴の位置に来るように距離を合わせてある。この位置で使用者は車椅子から保持台座面の便座に移行するが、その際、主に腕力によって体重移動を行わなければならない。その為に、体重移動に必要な腕力を出す為の位置に握り棒がある事が重要である。縦横の所定の位置、高さ、距離に、更に握り棒の太さを考慮して配置し、握り棒の表面は滑らかで角のない物を使用する態様である。
具体的には、保持台から非常用品収納箱を離して保持台のみにする。保持台の座面の着脱部を外して、座面に車椅子を接岸する。座面の穴部に携帯用トイレを配置するが穴の大きさは１５〜３０ｃｍ×１５〜３０ｃｍ大が適当で、車椅子から保持台座面に尻の位置を移行する。
この際、車椅子と保持台座面の高さがほぼ同じであること、且つ移行には腕力が発揮できる位置に握り棒が配置されている態様である。
保持台の材質は木材、アルミニウム、ステンレス、プラスチック等で加重に耐える強度を持つものでなければならない。又、美観や保護の為に塗装を施す場合もある。
最終的な形態は図３である。
【実施例１】
【０００９】以下、本考案を図面を用いて詳細に説明する。
図１と図２は本考案の非常用品収納箱２と保持台１を接続した時の見取り図である。保持台の支持台１−１上に非常用品収容箱２が載り係止用柵１−４、係止用取り外し板１−６、背もたれ１−５で係止できる態様である。【００１０】図３は保持台の見取り図である。つまり、該保持台をトイレとして使用する場合は図１、２の状態から取り外し用凸部１−７を取り外し用凹部１−８から引き抜くことで、係止用取り外し板１−６を外す。支持台１−１上の非常用品収納箱２を下すと図３の保持台１が出現する。図３では嵌め板１−２と取り外し板１−６があるが、この状態から支持台の嵌め板１−２を外すと保持台１はトイレとしての使用可能状態図４となる。
このトイレを健常者が使用する場合は、多少の寸法が違っても使用するのに大きな支障はないが、身体障害者が使用する場合は、大きな障害となる。つまり、車椅子で来てトイレを使用する時は、まず車椅子の座面３−１と支持台１−１の高さがほぼ同じで、車椅子が支持台に接岸できて、便座の穴が接岸位置から近い事。次いで、足に障害がある為、腕の力を十分発揮できる為の握り棒が必要である。縦横の握り棒１−４は体の移動がスムーズに効率良く行えるよう障害者用トイレの配置に倣って設置してある。
図５は嵌め板１−２に配置した穴１−８に係止用取り取り外し板１−６に取り付けた足１−７を引き抜き、挿入する事で着脱できる態様である。【００１１】本考案を用いて実際に車椅子３に身体障害者３−５が乗車して、トイレを使用してもらった。
足の悪い身体障害者３人で使用テストを行った結果、車椅子の種類によって多少の使い勝手が異なる点はあるが、車椅子３の前輪３−４を支持台１にできる限り接近して、車椅子３から支持台１−１へ移行した。ここで使用したトイレは木製で安定度が高い為、問題なく使用できる事が判った。参加者からは非常時に障害者用のトイレを確保できる事への安心感に謝辞が述べられた。尚、実際の仕様に際してはプライバシーの保護の為に目隠し等が必要であり、ここでは簡易型更衣テントを使用した。
【産業上の利用可能性】
【００１２】非常時のトイレの確保が重要である事は認識されているが、安全、簡便で量の確保が必要である。且つ、身体的弱者に配慮した非常用トイレは待望されていただけに、広域に設置する事で非常時への安心を確保できる。また、非常時に於いても健常者と身体的弱者の笑顔での共存に役立つものである。
【符号の説明】
【００１３】１        ：保持台
１−１    ：支持台
１−２    ：嵌め板
１−３    ：穴
１−４    ：係止用柵
１−５    ：背もたれ
１−６    ：係止用取り外し板
１−７    ：取り外し板用凸部
１−８    ：取り外し板用凹部
２        ：非常用品収納箱
３        ：車椅子
３−１    ：車椅子座面
３−２    ：車椅子背もたれ
３−３    ：車椅子車輪
３−４    ：車椅子前輪
３−５    ：車椅子搭乗者
【図１】
0003176395.tif 000003
【図２】
0003176395.tif 000004
【図３】
0003176395.tif 000005
【図４】
0003176395.tif 000006
【図５】
0003176395.tif 000007
【図６】
0003176395.tif 000008
【図７】
0003176395.tif 000009